(57)【要約】【課題】鍵の形状や配置によらず、鍵を正確に管理できる鍵管理システムを提供すること。【解決手段】本発明は、鍵本体１１の一部を保持する鍵カバー１２の通し穴１３の周囲に非接触情報媒体１７の鍵側コイル１４を形成する導線が巻回されており、鍵カバー１２の通し穴１３に挿通されることによって鍵１０を束ねるリング２０には非接触情報媒体１７との間で通信を行う鍵通信用コイル２４が設けられているため、リング２０の鍵通信用コイル２４と、このリング２０に束ねられる鍵カバー１２の鍵側コイル１４とは近接した状態で通信を行うことができ、鍵１０を束ねたリング２０をハンガー４に装着し鍵保管庫２内に収容するだけで、鍵の形状や配置によらず鍵を正確に管理できる。【選択図】図２
2011094390.tif 000002
【特許請求の範囲】
【請求項１】
所定の識別情報を記憶するメモリと前記識別情報を外部装置に送信するアンテナ用のコイルとを備えた非接触情報媒体が設けられ、鍵保管庫の中に収容される鍵を管理する鍵管理システムにおいて、
前記鍵の一部を保持し、周囲に前記コイルを形成する導線が巻回された通し穴が設けられた保持部材と、
前記保持部材の通し穴に挿通されることによって前記保持部材に保持された鍵を束ねるリングであって、前記非接触情報媒体との間で通信を行う通信用コイルと、前記通信用コイルと接続するとともに外部と電気的に接続するリング側接続手段とを有するリングと、
前記リングが脱着可能であるハンガーであって、所定の通信接続線と、前記通信接続線と接続するとともに前記リング側接続手段との間で電気的に接続するハンガー側接続手段とを備えたハンガーと、
前記ハンガーの通信接続線と接続することによって前記ハンガーに装着されたリングの通信用コイルと接続し、該接続した通信用コイルを用いて前記リングに束ねられた鍵の非接触情報媒体から識別情報を読み取るリーダと、
を備え、前記リーダが読み取った非接触情報媒体の識別情報をもとに前記鍵を管理することを特徴とする鍵管理システム。
【請求項２】
前記リングが前記保持部材の通し穴に挿通されて前記保持部材を束ねる場合、前記リングの通信用コイルを形成する導線と前記保持部材のコイルを形成する導線とは、ほぼ同心円上に位置するように巻回することを特徴とする請求項１に記載の鍵管理システム。
【請求項３】
前記リーダは、
前記リングの通信用コイルの通信処理を制御して前記鍵の非接触情報媒体の識別情報を読み取る制御手段と、
前記制御手段の制御処理によって読み取られた前記鍵の非接触情報媒体の識別情報を処理する処理手段と、
前記処理手段による処理結果を出力する出力手段と、
前記処理手段による処理結果をもとに作成された前記鍵保管庫内における鍵の保管情報を記憶する記憶手段と、
をさらに備えたことを特徴とする請求項１または２に記載の鍵管理システム。
【請求項４】
前記保持部材は、前記鍵の一部を収容するカバー部材であることを特徴とする請求項１〜３のいずれか一つに記載の鍵管理システム。
【請求項５】
前記保持部材は、前記鍵を結束可能である結束バンドであることを特徴とする請求項１〜３のいずれか一つに記載の鍵管理システム。
【請求項６】
前記結束バンドは、前記コイルを形成する導線の一部がバンド部分に延伸されており、
前記処理手段は、前記結束バンドの非接触情報媒体と前記通信用コイルとが通信不能である場合には、該結束バンドに保持されていた鍵が取り外されているおそれがあると判断し、
前記出力手段は、前記処理手段の判断結果を出力することを特徴とする請求項５に記載の鍵管理システム。
【請求項７】
前記コイルは、それぞれの巻線方向が重なる複数のサブコイルを備え、
前記複数のサブコイルのうち少なくとも一つのサブコイルを形成する導線の一部がバンド部分に延伸されていることを特徴とする請求項６に記載の鍵管理システム。
【請求項８】
前記リングのリング側接続手段と前記ハンガーのハンガー側接続手段とは、コイル部材で形成されていることを特徴とする請求項１〜７のいずれか一つに記載の鍵管理システム。
【発明の詳細な説明】
【技術分野】
【０００１】
本発明は、所定の識別情報を記憶するとともにコイルを介して外部装置と通信可能である非接触情報媒体を用いて、鍵を管理する鍵管理システムに関する。
【背景技術】
【０００２】
従来、無線通信システムの１つとして、ＲＦＩＤ（Radio  Frequency  Identification）システムが開発されている。ＲＦＩＤシステムでは、識別情報等を記憶する情報媒体に対して、専用の読取装置が所定周波数の電磁波を送受信することによって情報媒体の識別情報等を非接触で読み取っている。
【０００３】
近年、このＲＦＩＤシステムが鍵管理システムに適用されている。このような鍵管理システムとして、たとえば、管理対象である鍵本体に情報媒体をそれぞれ有するカバーを取り付け、鍵管理庫の側壁に、情報媒体に電磁波を発して情報媒体との間で通信を行うループアンテナを取り付け、ループアンテナを介して読み取った情報媒体の識別情報をもとに、鍵保管庫内に収容されている鍵を管理する鍵管理装置が提案されている（特許文献１参照）。
【先行技術文献】
【特許文献】
【０００４】
【特許文献１】特開２００１−１８２３８８号公報
【発明の概要】
【発明が解決しようとする課題】
【０００５】
ところで、情報媒体とループアンテナとの間に金属部材が介在した場合、ループアンテナからの電磁波が遮断され、情報媒体とループアンテナとの間で正確に通信処理を行うことができなくなる。そして、鍵は一般的には金属製である。このため、特許文献１に記載された鍵管理装置では、情報媒体間、および情報媒体とループアンテナとの間に鍵が位置しないように鍵を鍵保管庫内に収容しなければならず、鍵保管庫内の鍵の配置や、保管対象の鍵の形状に制約を設けざるを得ず、種々の形状の鍵を管理する場合には適さないという問題があった。
【０００６】
本発明は、上記に鑑みてなされたものであって、鍵の形状や配置によらず、多数の鍵を正確に管理できる鍵管理システムを提供することを目的とする。
【課題を解決するための手段】
【０００７】
上述した課題を解決し、目的を達成するために、本発明にかかる鍵管理システムは、所定の識別情報を記憶するメモリと前記識別情報を外部装置に送信するアンテナ用のコイルとを備えた非接触情報媒体が設けられ、鍵保管庫の中に収容される鍵を管理する鍵管理システムにおいて、前記鍵の一部を保持し、周囲に前記コイルを形成する導線が巻回された通し穴が設けられた保持部材と、前記保持部材の通し穴に挿通されることによって前記保持部材に保持された鍵を束ねるリングであって、前記非接触情報媒体との間で通信を行う通信用コイルと、前記通信用コイルと接続するとともに外部と電気的に接続するリング側接続手段とを有するリングと、前記リングが脱着可能であるハンガーであって、所定の通信接続線と、前記通信接続線と接続するとともに前記リング側接続手段との間で電気的に接続するハンガー側接続手段とを備えたハンガーと、前記ハンガーの通信接続線と接続することによって前記ハンガーに装着されたリングの通信用コイルと接続し、該接続した通信用コイルを用いて前記リングに束ねられた鍵の非接触情報媒体から識別情報を読み取るリーダと、を備え、前記リーダが読み取った非接触情報媒体の識別情報をもとに前記鍵を管理することを特徴とする。
【０００８】
また、この発明にかかる鍵管理システムは、前記リングが前記保持部材の通し穴に挿通されて前記保持部材を束ねる場合、前記リングの通信用コイルを形成する導線と前記保持部材のコイルを形成する導線とは、ほぼ同心円上に位置するように巻回することを特徴とする。
【０００９】
また、この発明にかかる鍵管理システムは、前記リーダは、前記リングの通信用コイルの通信処理を制御して前記鍵の非接触情報媒体の識別情報を読み取る制御手段と、前記制御手段の制御処理によって読み取られた前記鍵の非接触情報媒体の識別情報を処理する処理手段と、前記処理手段による処理結果を出力する出力手段と、前記処理手段による処理結果をもとに作成された前記鍵保管庫内における鍵の保管情報を記憶する記憶手段と、をさらに備えたことを特徴とする。
【００１０】
また、この発明にかかる鍵管理システムは、前記保持部材は、前記鍵の一部を収容するカバー部材であることを特徴とする。
【００１１】
また、この発明にかかる鍵管理システムは、前記保持部材は、前記鍵を結束可能である結束バンドであることを特徴とする。
【００１２】
また、この発明にかかる鍵管理システムは、前記結束バンドは、前記コイルを形成する導線の一部がバンド部分に延伸されており、前記処理手段は、前記結束バンドの非接触情報媒体と前記通信用コイルとが通信不能である場合には、該結束バンドに保持されていた鍵が取り外されているおそれがあると判断し、前記出力手段は、前記処理手段の判断結果を出力することを特徴とする。
【００１３】
また、この発明にかかる鍵管理システムは、前記コイルは、それぞれの巻線方向が重なる複数のサブコイルを備え、前記複数のサブコイルのうち少なくとも一つのサブコイルを形成する導線の一部がバンド部分に延伸されていることを特徴とする。
【００１４】
また、この発明にかかる鍵管理システムは、前記リングのリング側接続手段と前記ハンガーのハンガー側接続手段とは、コイル部材で形成されていることを特徴とする。
【発明の効果】
【００１５】
本発明によれば、鍵の一部を保持する保持部材の通し穴の周囲に非接触情報媒体のコイルを形成する導線が巻回されており、保持部材の通し穴に挿通されることによって保持部材に保持された鍵を束ねるリングには非接触情報媒体との間で通信を行う通信用コイルが設けられているため、リングの通信用コイルと、このリングに束ねられる鍵のコイルとは近接した状態で通信を行うことができるため、鍵を保持する保持部材を束ねたリングをハンガーに装着し鍵保管庫内に収容するだけで、鍵の形状や配置によらず多数の鍵を正確に管理できる。
【図面の簡単な説明】
【００１６】
【図１】図１は、実施の形態１にかかる鍵管理システムの概略図である。
【図２】図２は、図１に示す鍵管理システムの構成を説明する図である。
【図３】図３は、図２に示す鍵の正面図である。
【図４】図４は、図３に示す鍵の左側面図である。
【図５】図５は、図２に示す鍵の正面図である。
【図６】図６は、図２に示す鍵の各部材の分解図である。
【図７】図７は、図２に示すリングの平面図である。
【図８】図８は、図２に示すリングで図２に示す鍵を束ねた場合を説明する平面図である。
【図９】図９は、図８の左側面図である。
【図１０】図１０は、図２に示す鍵を束ねたリングを図２に示すハンガーに装着した場合を説明する図である。
【図１１】図１１は、図２に示す鍵管理システムの管理処理の処理手順を示すフローチャートである。
【図１２】図１２は、図１に示すモニタに表示されるメニュー画面の一例を示す図である。
【図１３】図１３は、図１に示すモニタに表示されるメニュー画面の一例を示す図である。
【図１４】図１４は、本実施の形態２にかかる鍵管理システムの構成を説明する図である。
【図１５】図１５は、図１４に示す結束バンドの平面図である。
【図１６】図１６は、図１４に示す結束バンドの正面図である。
【図１７】図１７は、図１４に示す結束バンドの平面図である。
【図１８】図１８は、図１２に示すリングで図１５に示す結束バンドを束ねた場合を説明する平面図である。
【図１９】図１９は、図１８の左側面図である。
【図２０】図２０は、図１４に示す鍵管理システムの管理処理の処理手順を示すフローチャートである。
【図２１】図２１は、本実施の形態３にかかる鍵管理システムの構成を説明する図である。
【図２２】図２２は、図２１に示す結束バンドの平面図である。
【図２３】図２３は、図２１に示す結束バンドの正面図である。
【図２４】図２４は、図２１に示す結束バンドを束ねたリングを図２に示すハンガーに装着した場合を説明する図である。
【図２５】図２５は、図２１に示す鍵管理システムの管理処理の処理手順を示すフローチャートである。
【図２６】図２６は、図１に示すモニタに表示されるメニュー画面の一例を示す図である。
【図２７】図２７は、実施の形態３に使用する結束バンドの他の例を示す平面図である。
【図２８】図２８は、図２７に示す結束バンドの正面図である。
【図２９】図２９は、実施の形態３に使用する結束バンドの他の例を示す平面図である。
【図３０】図３０は、実施の形態３に使用する結束バンドの他の例を示す正面図である。
【図３１】図３１は、本実施の形態１にかかる鍵管理システムの他の構成を説明する図である。
【図３２】図３２は、図２に示す鍵の他の例を示す正面図である。
【図３３】図３３は、図２に示す鍵の他の例を示す正面図である。
【発明を実施するための形態】
【００１７】
以下に、本発明にかかる実施の形態である鍵管理システムについて、ＲＦＩＤシステムを用いて鍵を管理する鍵管理システムを例に説明する。なお、この実施の形態によりこの発明が限定されるものではない。また、図面の記載において、同一部分には同一の符号を付している。
【００１８】
（実施の形態１）
まず、実施の形態１について説明する。図１は、実施の形態１にかかる鍵管理システムの概略図である。図１に示すように、本実施の形態１にかかる鍵管理システムでは、鍵保管庫２の各引出し３に収容される各ハンガー４に、鍵１０を束ねた複数のリング２０を装着することによって、多数の鍵１０を鍵保管庫２内に保管する。各ハンガー４は、矢印Ｙ１のように各引出し３から取り外すことが可能である。各ハンガー４は、矢印Ｙ２のように、リング２０が脱着可能である。また、鍵１０には、所定の識別情報を記憶するメモリと、この識別情報を外部装置に送信するアンテナ用のコイルを備えた非接触情報媒体が設けられている。鍵保管庫２には各鍵１０の非接触情報媒体の識別情報を読み取るリーダ３０が設けられる。このリーダ３０は、読み取った各非接触情報媒体の識別情報をもとに、鍵保管庫２内に保管される鍵１０を管理している。リーダ３０は、接続するスピーカー３４ａから各鍵１０の保管情報を出力するほか、接続する管理装置５０に保管情報を出力する。管理装置５０は、リーダ３０から出力された保管情報を、キーボード５２ａおよびマウス５２ｂを介して入力された指示情報にしたがって管理装置本体５１ａで処理するほか、モニタ５４ａから保管情報を表示出力する。
【００１９】
次に、図１に示す鍵管理システムの構成について説明する。図２は、図１に示す鍵管理システムの構成を説明する図である。図２に示すように、本実施の形態１にかかる鍵管理システム１は、鍵保管庫２内に収容される各ハンガー４と、リーダ３０と、管理装置５０とを備え、各リング２０に束ねられた状態でハンガー４内に保管される複数の鍵１０を管理する。
【００２０】
ハンガー４は、導線で形成される通信接続線３６と、この通信接続線３６と接続するとともに、後述するリング２０の結合用コイル２３と電気的に接続可能である給電用コイル３９とを備える。ハンガー４は、リーダ３０のケーブル３８とＣ２部分に示す接続部３７でコネクタ接続することによって、リーダ３０と通信接続線３６とが接続する。ハンガー４は、引出し３のハンガー収容位置に収容され、ケーブル３８の接続部にハンガー４の接続部３７がセットされることによってケーブル３８と電気的に接続する。そして、ハンガー４は、引出し３から取り出されて、接続部３７がケーブル３８から外れることによって、ケーブル３８との接続を解除する。
【００２１】
リング２０は、鍵１０に設けられた非接触情報媒体との間で通信を行う鍵通信用コイルを備える。この鍵通信用コイルは、ハンガー４装着時にＣ１部分においてハンガー４に設けられた通信接続線３６と接続する。
【００２２】
リーダ３０は、接続部３７においてケーブル３８がハンガー４の通信接続線３６と電気的に接続することによって、ハンガー４に装着されたリング２０の鍵通信用コイルと接続する。そして、リーダ３０は、接続したリング２０の鍵通信用コイルを用いて、リング２０に束ねられた鍵１０の非接触情報媒体から識別情報を読み取り、読み取った非接触情報媒体の識別情報をもとに鍵保管庫２内の鍵を管理する。リーダ３０は、制御部３１、入力部３２、処理部３３、出力部３４および記憶部３５を備える。制御部３１は、リング２０の通信用コイルの通信処理を制御して鍵１０における非接触情報媒体の識別情報を読み取るほか、各構成部位による処理を制御する。入力部３２は、鍵保管庫２内の鍵管理に関する各指示情報が外部から入力される。処理部３３は、制御部３１による制御処理によって、リング２０の通信用コイルを介して読み取られた鍵１０の非接触情報媒体の識別情報を処理する。出力部３４は、スピーカー３４ａやモニタなどによって構成され、処理部３３による処理結果を出力する。記憶部３５は、処理部３３による処理結果、すなわち、鍵保管庫２内に収容される各鍵１０の非接触情報媒体の識別情報をもとに作成された保管情報を記憶するほか、リーダ３０が実行する処理に要する各種プログラムを記憶する。
【００２３】
管理装置５０は、リーダ３０と通信可能に接続し、管理装置５０の各構成部位を制御する制御部５１と、キーボード５２ａ、マウス５２ｂ等を用いて構成され、鍵管理に関する各指示情報を外部から取得する入力部５２と、モニタ５４ａやプリンタ、スピーカー等を用いて構成され、鍵情報を含む各情報を出力する出力部５４と、鍵情報を含む各情報や管理装置５０が実行する処理に要する各種プログラムを記憶する記憶部５５と、図示しない通信ネットワークを介して所定の形式にしたがった情報を外部装置との間で通信する通信処理部５６とを備える。
【００２４】
次に、図３〜図６を参照して、鍵１０について説明する。図３および図５は、鍵１０の正面図であり、図４は、図３に示す鍵１０の左側面図であり、図６は、鍵１０の分解図である。
【００２５】
図３〜図６に示すように、鍵１０は、鍵本体１１ごとに鍵カバー１２が取り付けられており、この鍵カバー１２は、鍵本体１１上部を内部に収容することによって鍵本体１１を保持する。鍵カバー１２は、図４および図６に示すように、下面カバー１２ａの凹部１２ｃ内に鍵本体１１のヘッド部分がセットされた状態で、下面カバー１２ａと上面カバー１２ｂとが嵌合することによって、鍵カバー１２内に鍵本体１１の一部を保持する。
【００２６】
鍵カバー１２には、図５に示すように、アンテナとして機能し導線によって形成される鍵側コイル１４と、識別情報を記憶するＩＣチップ１５と、鍵側コイル１４と共振回路を形成するコンデンサ１６とを有する非接触情報媒体１７が設けられている。ＩＣチップ１５は、鍵側コイル１４を介してリーダ３０との間で送受信する情報を処理する送受信部１５ａと、ＩＣチップ１５の各構成部位を制御する制御部１５ｂと、所定の識別情報等を記憶するメモリ１５ｃとを備える。共振回路を形成するコンデンサ１６の容量と鍵側コイル１４のインダクタンスは、リーダ３０による電磁波の周波数と共振回路の共振周波数とが一致するように設定されている。なお、図３、図４、図６および図８以降では、コンデンサ１６を省略して非接触情報媒体１７を図示している。
【００２７】
鍵カバー１２には、図４に示すように、下面カバー１２ａおよび上面カバー１２ｂを貫通する通し穴１３が設けられている。図６に示すように、下面カバー１２ａ内部には、この通し穴１３を構成するために円筒状の凸部１２ｄが設けられており、この円筒状の凸部１２ｄ周囲に導線が巻回されることによって、通し穴１３の周囲に鍵側コイル１４が形成される。この通し穴１３の内径は、たとえば６ｍｍであり、この通し穴１３の周囲に導線をたとえば１３巻回することによって非接触情報媒体１７のコイルが形成されている。また、鍵カバー１２の厚さは、たとえば３ｍｍである。
【００２８】
次に、鍵１０を束ねるリング２０について説明する。図７は、リング２０の平面図であり、図８は、リング２０で鍵１０を束ねた場合を説明する平面図であり、図９は、図８の左側面図であり、図１０は、鍵１０を束ねたリング２０をハンガー４に装着した場合を説明する図である。
【００２９】
図７に示すように、リング２０は、略矩形の輪部分の上部が閉じずに上部に延伸後、左右に曲がった形状を有するリング本体２１に、導線２２が巻回される構成を有する。この導線がリング本体２１の輪部分の一部に巻回されることによって、リング２０に非接触情報媒体１７と通信を行う鍵通信用コイル２４が形成される。なお、説明のため、図７および図８に示すように、リング本体２１のうち、鍵通信用コイル２４が形成される輪部分であって鍵１０の鍵カバー１２を保持する部分を保持部２１ａとし、輪部分の端部が上部に延伸した部分を軸部２１ｂ，２１ｃとし、この軸部２１ｂ，２１ｃがそれぞれ左右に曲がってから端部までの部分を挿入部２１ｄ，２１ｅとする。
【００３０】
リング２０は、リング本体２１端部から鍵１０の通し穴１３に挿入されることによって、図８および図９に示すように、鍵１０を保持した鍵カバー１２を、この鍵通信用コイル２４が形成される保持部２１ａで束ねて保持する。
【００３１】
鍵カバー１２の通し穴１３周囲には、鍵側コイル１４が形成されており、リング２０のリング本体２１の保持部２１ａには、鍵通信用コイル２４が形成されている。このため、図８および図９に示すように、リング２０が鍵カバー１２の通し穴１３に挿通されて鍵１０を束ねて保持する場合には、リング２０の鍵通信用コイル２４を形成する導線と鍵１０の鍵側コイル１４を形成する導線とは、ほぼ同心円上に位置するように巻回されることとなる。さらに、図９に示すように、リング２０の鍵通信用コイル２４は、鍵１０の鍵側コイル１４の内側に、鍵側コイル１４とほぼ同心円状に位置する。
【００３２】
そして、図７および図８に示すように、リング本体２１の保持部２１ａに巻回された鍵通信用コイル２４の導線は、鍵通信用コイル２４両端部から延伸する。この２本の導線２２は、リング本体２１の一方の挿入部２１ｄまで延伸し、この挿入部２１ｄ周囲に巻回される。この結果、リング２０の挿入部２１ｄには、後述するリハンガー４の給電用コイル３９と電気的に接続する結合用コイル２３が形成される。
【００３３】
ハンガー４には、複数組の挿入口が設けられており、リング２０は、図１０に示すように、ハンガー４の所定の挿入口４ａ，４ｂに、挿入部２１ｄ，２１ｅがそれぞれ挿入されることによってハンガー４に装着される。なお、鍵使用者は、使用した鍵１０を束ねたリング２０をハンガー４に装着するには、図１０の矢印Ｙ４のように、軸部２１ｂ、２１ｃ同士を押し付けた状態で挿入部２１ｄ，２１ｅをハンガー４の挿入口４ａ，４ｂの入り口に近づけた後、軸部２１ｂ、２１ｃから手を離せばよい。軸部２１ｂ、２１ｃを押し付ける力がなくなるため、その反動で挿入部２１ｄ，２１ｅはハンガー４の挿入口４ａ，４ｂに挿入され、ハンガー４にリング２０が装着される。ハンガー４からリング２０を取り外す場合には、鍵使用者は、所望のリング２０の軸部２１ｂ、２１ｃ同士を押し付けるように摘みながら、挿入口４ａ，４ｂから挿入部２１ｄ，２１ｅを取り出せばよい。
【００３４】
そして、図１０に示すように、ハンガー４は、導線によって形成された通信接続線３６であって、外部ケーブルとコネクタ接続可能である接続部３７から延伸した通信接続線３６を内蔵している。さらに、ハンガー４の各組の挿入口のうち、一方の挿入口の周囲には、通信接続線３６を形成する導線が巻回された給電用コイル３９が形成される。この給電用コイル３９は、各組の挿入口ごとに形成されており、リング２０の一方の挿入部２１ｄに形成される結合用コイル２３に対応させて、各組の少なくとも一方の挿入口の周囲に形成される。
【００３５】
この給電用コイル３９は、挿入口４ａに挿入されたリング２０の結合用コイル２３とトランス結合する。すなわち、給電用コイル３９に接続部３７を介してケーブル３８から供給された交流電流が流れることによって、給電用コイル３９に磁場が発生し、この磁場が相互インダクタンスで結合するリング２０の結合用コイル２３で電流に変換され、結合用コイル２３に電流が流れる。この結果、リング２０においては、結合用コイル２３から、導線２２を介して鍵通信用コイル２４に電流が流れる。
【００３６】
そして、図８〜図１０に示すように、リング２０の鍵通信用コイル２４に電流が流れることによって、このリング２０に束ねられた各鍵１０の非接触情報媒体１７の共振回路も共振し、鍵側コイル１４に誘導電流が流れる。この結果、ＩＣチップ１５が動作し、メモリ１５ｃが記憶する識別情報を、鍵側コイル１４を介してリング２０の鍵通信用コイル２４に送信する。鍵通信用コイル２４に送信された各鍵１０の識別情報は、結合用コイル２３を介して、給電用コイル３９に出力された後、通信接続線３６が接続する接続部３７から、ケーブル３８を介してリーダ３０本体の処理部３３に入力される。処理部３３では、この各識別情報をもとに各鍵１０を管理する。
【００３７】
このように、本実施の形態１にかかる鍵管理システム１では、鍵１０の通し穴１３周囲に鍵側コイル１４を形成し、さらに、リング２０のリング本体２１の保持部２１ａに鍵通信用コイル２４を形成する。そして、リング２０が鍵１０の通し穴１３に挿通されて鍵１０を束ねて保持する場合には、リング２０の鍵通信用コイル２４を形成する導線と鍵１０の鍵側コイル１４を形成する導線とが、ほぼ同心円上に位置するようにしている。ここで、この鍵１０の通し穴１３の内径は、たとえば６ｍｍであり、リング２０のリング本体２１が挿通できる程度の小さなものである。このため、この通し穴１３にリング２０が挿通された場合、リング２０の鍵通信用コイル２４と、このリング２０に束ねられる鍵１０の鍵側コイル１４とは、非常に近接することとなる。
【００３８】
したがって、リング２０の鍵通信用コイル２４と、このリング２０に束ねられる鍵１０に備わる非接触情報媒体１７の鍵側コイル１４との間に、３ｍｍ程度の厚さを有する金属製の鍵本体１１が入り込む隙間はない。すなわち、本実施の形態１では、非接触情報媒体１７の鍵側コイル１４とリング２０の鍵通信用コイル２４との間に、金属部材が介在すること自体起こり得ない。この結果、本実施の形態１では、金属部材による鍵通信用コイル２４からの電磁波の遮断も発生せず、非接触情報媒体１７とリング２０の鍵通信用コイル２４との間で正確に通信処理を行うことができる。このため、本実施の形態１では、鍵カバー１２に鍵本体１１の一部を収容さえすれば、リング２０に鍵１０を束ねた状態で鍵保管庫２内に収容するだけで、鍵の形状によらず多数の鍵を自由に配置した状態で管理することができる。
【００３９】
さらに、鍵管理庫の側壁にループアンテナを取り付けて各鍵の非接触情報媒体と通信を行っていた従来と比較し、リング２０の鍵通信用コイル２４と、このリング２０に束ねられる鍵１０の鍵側コイル１４とがほぼ同心円状に非常に近接して位置するため、鍵１０の非接触情報媒体１７とリーダ３０とは非常に効率よく通信を行うことができる。
【００４０】
次に、図１１を参照し、図２に示す鍵管理システム１の管理処理について説明する。図１１は、図２に示す鍵管理システム１の管理処理の処理手順を示すフローチャートである。図１１に示すように、鍵管理システム１では、リーダ３０の電源が入った後、制御部３１は、鍵保管庫２内に保管される鍵の鍵情報の読取タイミングか否かを判断する（ステップＳ２）。たとえば、リーダ３０に電源が入った場合、入力部３２から鍵情報の読み取りを指示する指示情報が入力された場合、予め所定時間ごとに定期的に読取処理が定めている場合であって前回の読取処理から所定時間が経過した場合、各ケーブル３８における接続部３７との接続状態をもとに新たに鍵保管庫２内にハンガー４が収容されたと判断した場合、または、リーダ３０の電源をオフ状態とする指示情報が入力された場合に、制御部３１は、鍵情報の読取タイミングであると判断する。
【００４１】
制御部３１は、鍵情報の読取タイミングであると判断するまで、ステップＳ２の判断処理を繰り返し、鍵情報の読取タイミングであると判断した場合（ステップＳ２：Ｙｅｓ）、読取処理対象のハンガー４に、ケーブル３８を介して電流を供給する（ステップＳ４）。この結果、ハンガー４の通信接続線３６に電流が供給され、各給電用コイル３９にも電流が流れる。そして、ハンガー４の挿入口４ａ，４ｂにリング２０が装着されていた場合には、この挿入口４ａの給電用コイル３９とトランス結合するリング２０の結合用コイル２３から鍵通信用コイル２４に電流が流れる。この結果、鍵通信用コイル２４とリング２０に束ねられた各鍵１０の非接触情報媒体１７との間で通信が行われ、リーダ３０は、鍵通信用コイル２４を介して、このハンガー４に装着された各リング２０の鍵１０の非接触情報媒体１７の識別情報を読み取る読取処理を行う（ステップＳ６）。制御部３１は、読取処理によって読み取った、読取対象のハンガー４に装着された各リング２０の鍵１０に備わる非接触情報媒体１７の識別情報を、鍵情報として受信し（ステップＳ８）、受信した鍵情報を処理部３３に出力して、このハンガー４における読取処理を終了する。なお、入力部３２による指示情報によって読取処理対象のハンガー４が指示されるほか、新たに鍵保管庫２内に収容されたハンガー４や、読取順が来たと判断されたハンガー４が読取処理対象として設定される。
【００４２】
続いて、制御部３１は、すべての読取処理対象のハンガーによる読取処理が終了したか否かを判断し（ステップＳ１０）、すべての読取処理対象のハンガー４による読取処理が終了していないと判断した場合（ステップＳ１０：Ｎｏ）、次の読取処理対象のハンガー４に電流を供給し（ステップＳ１２）、次の読取処理対象のハンガー４による読取処理を行う。
【００４３】
これに対し、制御部３１がすべての読取処理対象のハンガー４による読取処理が終了したと判断した場合には（ステップＳ１０：Ｙｅｓ）、記憶部３５に記憶される保管情報を参照する（ステップＳ１４）。この保管情報は、たとえば、各ハンガーごとに、ハンガー４に装着された各リング２０に束ねられる鍵１０の非接触情報媒体１７の識別情報と、各鍵１０の施錠場所とが対応付けられたものである。
【００４４】
そして、処理部３３は、読取処理を行ったすべてのハンガー４による鍵情報と、参照した保管情報とを比較し（ステップＳ１６）、鍵情報に含まれる識別情報と、保管情報に含まれる識別情報のうち、不一致となる識別情報を取得する（ステップＳ１８）。そして、処理部３３は、読取処理を行ったすべてのハンガー４による鍵情報の中に保管情報には含まれない識別情報がある場合には、この識別情報に対応する鍵１０が、新たに鍵保管庫２内に収容されたと判断する。また、処理部３３は、保管情報の識別情報の中に、読取処理を行ったすべてのハンガー４による鍵情報には含まれない識別情報がある場合には、この識別情報に対応する鍵１０が鍵保管庫２内から取り出されたと判断する。処理部３３は、この判断処理をもとに、現に鍵保管庫２内に保管されている鍵１０の新たな保管情報を取得する（ステップＳ２０）。
【００４５】
続いて、出力部３４は、処理部３３が取得した新たな保管情報を出力する出力処理を行う（ステップＳ２２）。たとえばこの出力処理として、新たに鍵保管庫２内に保管された鍵１０の情報や、鍵保管庫２から取り出された鍵の情報が、スピーカー３４ａから音声で出力される。また、出力処理として、管理装置本体５１ａを介してリーダ３０と接続するモニタ５４ａに、図１２のメニュー画面Ｍ１を表示することによって新たに鍵保管庫２内に保管された鍵１０の詳細情報および保管位置を出力するほか、図１３のメニュー画面Ｍ２を表示することによって鍵保管庫２から取り出された鍵１０の詳細情報を出力してもよい。
【００４６】
次に、制御部３１は、記憶部３５が記憶する保管情報を、処理部３３が取得した新たな保管情報に更新する（ステップＳ２４）。制御部３１は、鍵保管庫２における保管処理を終了するか否かを判断する（ステップＳ２６）。制御部３１は、たとえばリーダ３０の電源をオフ状態とする指示情報が入力された場合に、鍵保管庫２における保管処理を終了すると判断する。制御部３１は、保管処理を終了すると判断した場合には（ステップＳ２６：Ｙｅｓ）、鍵管理処理を終了する。また、制御部３１は、保管処理を終了しないと判断した場合には（ステップＳ２６：Ｎｏ）、ステップＳ２に戻り、鍵保管庫２内に保管される鍵の鍵情報の読取タイミングか否かを判断し、この読取タイミングであると判断した場合には（ステップＳ２：Ｙｅｓ）、上述した一連の処理動作を行って鍵管理を継続する。
【００４７】
このように、実施の形態１においては、非接触情報媒体１７とリング２０の鍵通信用コイル２４との間で正確に通信処理を行うことができることから、図１１に示す一連の処理動作を行うことによって、鍵保管庫２内に保管される鍵１０を正確に管理することができる。
【００４８】
また、実施の形態１においては、さらに、入退室管理システムと組み合わせることによって、ネットワークと接続する管理装置５０を介して、誰がどの鍵１０を鍵保管庫２から持ち出しているか、または、誰がどの鍵１０を鍵保管庫２内に戻したかを管理してもよい。さらに、この場合、鍵の使用権限を持たない者が鍵保管庫２から鍵を取り出した場合には、警報を発するとともに、鍵保管庫２が設置されている部屋を施錠して、鍵１０が外部に不正に持ち出されないようにしてもよい。
【００４９】
(実施の形態２)
次に、実施の形態２について説明する。図１４は、本実施の形態２にかかる鍵管理システムの構成を説明する図である。図１４に示すように、実施の形態２にかかる鍵管理システム２０１では、実施の形態１で説明した鍵カバー１２に加えて、非接触情報媒体を備えた結束バンド２１０を特許請求の範囲に記載した保持部材として用いている。鍵管理システム２０１では、鍵カバー１２によって保持される鍵１０の他に、鍵１１ａまたはカードキー１１ｂなどを結束した結束バンドをリング２０で束ね、このリング２０をハンガー４に装着することによって、各鍵１０、鍵１１ａ、およびカードキー１１ｂを鍵保管庫２内に保管する。
【００５０】
そして、図１４に示す鍵管理システム２０１では、図２に示すリーダ３０に代えて、鍵１０の非接触情報媒体の識別情報および結束バンド２１０の非接触情報媒体の識別情報を読み取るリーダ２３０を備える。このリーダ２３０は、図２に示すリーダ３０と比して、処理部３３に代えて、リング２０の通信用コイルを介して読み取った鍵１０の非接触情報媒体の識別情報および結束バンド２１０の非接触情報媒体の識別情報を処理する処理部２３３を備える。なお、記憶部３５は、鍵保管庫２内に収容される各結束バンド２１０の非接触情報媒体の識別情報および各鍵１０の非接触情報媒体の識別情報をもとに作成された各鍵１０，１１ａ、カードキー１１ｂの保管情報を記憶する。
【００５１】
次に、図１４に示す結束バンド２１０について詳細に説明する。図１５および図１７は、図１４に示す結束バンドの平面図であり、図１６は、図１４に示す結束バンドの正面図である。
【００５２】
図１５〜図１７に示すように、結束バンド２１０は、各鍵１１ａまたはカードキー１１ｂの穴に通されるバンド部２１１と、ヘッド部２１２とによって構成され、可撓性を有する樹脂材料などを用いて、たとえば一体成型されることによって形成される。ヘッド部２１２には、バンド部２１１が通されてロックされるバンドロック穴２１８が設けられている。
【００５３】
そして、結束バンド２１０は、ヘッド部２１２に非接触情報媒体２１７を有する。この非接触情報媒体２１７は、図１７に示すように、アンテナとして機能し導線によって形成されるバンド側コイル２１４と、ＩＣチップ１５と、バンド側コイル２１４と共振回路を形成するコンデンサ２１６とを有する。共振回路を形成するコンデンサ２１６の容量とバンド側コイル２１４のインダクタンスは、リーダ２３０による電磁波の周波数と共振回路の共振周波数とが一致するように設定されている。なお、図１５、図１６および図１８以降では、コンデンサ２１６を省略して非接触情報媒体２１７を図示している。
【００５４】
結束バンド２１０には、ヘッド部２１２に、リング２０が挿通されるリング通し穴２１３が設けられている。図１５〜図１７に示すように、このリング通し穴２１３の周囲には、バンド側コイル２１４を形成する導線が巻回されている。
【００５５】
結束バンド２１０は、図１８および図１９に示すように、バンド部２１１に、保管対象の鍵１１ａまたはカードキー１１ｂを通した後、バンドロック穴２１８にバンド部２１１を通してロックすることによって、鍵１１ａまたはカードキー１１ｂを保持する。なお、バンド部２１１がバンドロック穴２１８に通されてロックされた場合は、バンド部２１１をバンドロック穴２１８から取り出すことができないため、バンド部２１１を切断しないと保持する各鍵１１ａまたはカードキー１１ｂを結束バンド２１０から取り外すことはできない。
【００５６】
そして、鍵１１ａまたはカードキー１１ｂを保持する結束バンド２１０のリング通し穴２１３に、リング２０のリング本体２１が挿入されることによって、図１８および図１９に示すように、リング２０は、鍵１１ａまたはカードキー１１ｂを保持した結束バンド２１０を、鍵通信用コイル２４が形成される輪部分で束ねて保持する。
【００５７】
このように鍵１１ａまたはカードキー１１ｂを保持した結束バンド２１０をリング２０で束ねた場合も、図１８および図１９に示すように、リング２０がリング通し穴２１３に挿通されて結束バンド２１０を束ねて保持する場合には、リング２０の鍵通信用コイル２４を形成する導線と結束バンド２１０のバンド側コイル２１４を形成する導線とは、ほぼ同心円上に位置するように巻回されることとなる。そして、リング２０の鍵通信用コイル２４は、結束バンド２１０のバンド側コイル２１４の内側に、バンド側コイル２１４とほぼ同心円状に位置する。
【００５８】
このため、このリング通し穴２１３にリング２０が挿通された場合、リング２０の鍵通信用コイル２４と、このリング２０に束ねられる結束バンド２１０のバンド側コイル２１４とは、非常に近接することとなる。したがって、結束バンド２１０を用いた場合も、実施の形態１と同様に、リング２０の鍵通信用コイル２４と、このリング２０に束ねられる結束バンド２１０に備わる非接触情報媒体２１７のバンド側コイル２１４との間に金属部材が介在すること自体起こり得ないため、非接触情報媒体２１７とリング２０の鍵通信用コイル２４との間で正確に通信処理を行うことができるとともに、結束バンド２１０の非接触情報媒体２１７とリーダ３０とは非常に効率よく通信を行うことができる。
【００５９】
また、実施の形態２では、実施の形態１で説明した鍵カバー１２を直接鍵本体に取り付けられない場合であっても、この結束バンド２１０を用いることによって管理することができるため、実施の形態１よりも、さらに鍵管理の自由度が増すという効果を奏する。
【００６０】
次に、図２０を参照し、図１４に示す鍵管理システム２０１の管理処理について説明する。図２０は、図１４に示す鍵管理システム２０１の管理処理の処理手順を示すフローチャートである。
【００６１】
図２０に示すように、鍵管理システム２０１では、図１１に示すステップＳ２〜ステップＳ４と同様に、制御部３１は、鍵保管庫２内に保管される鍵１０の鍵情報および結束バンド２１０のバンド情報の読取タイミングか否かを判断する（ステップＳ２０２）。制御部３１は、鍵情報およびバンド情報の読取タイミングであると判断するまで、ステップＳ２０２の判断処理を繰り返し、鍵情報およびバンド情報の読取タイミングであると判断した場合（ステップＳ２０２：Ｙｅｓ）、読取処理対象のハンガー４に、ケーブル３８を介して電流を供給する（ステップＳ２０４）。この結果、実施の形態１と同様に、ハンガー４の各通信接続線３６に電流が供給され、各給電用コイル３９にも電流が流れる。ハンガー４の挿入口４ａ，４ｂにリング２０が装着されていた場合には、この挿入口４ａの給電用コイル３９から、リング２０の結合用コイル２３を介して鍵通信用コイル２４に電流が流れる。そして、鍵通信用コイル２４とリング２０に束ねられた各結束バンド２１０の非接触情報媒体２１７および各鍵１０の非接触情報媒体１７との間で通信が行われることによって、リーダ２３０は、このハンガー４に装着された各リング２０の結束バンド２１０に備わる非接触情報媒体２１７の識別情報および鍵１０に備わる非接触情報媒体１７の識別情報を読み取る読取処理を行う（ステップＳ２０６）。
【００６２】
制御部３１は、読取処理によって読み取った、読取対象のハンガー４に装着された各リング２０の鍵１０に備わる非接触情報媒体１７の識別情報を、鍵情報として受信するとともに、各リング２０の結束バンド２１０に備わる非接触情報媒体２１７の識別情報を、バンド情報として受信し（ステップＳ２０８）、受信した鍵情報およびバンド情報を処理部２３３に出力して、このハンガー４における読取処理を終了する。
【００６３】
続いて、制御部３１は、図１１のステップＳ１０〜ステップＳ１２と同様に、すべての読取処理対象のハンガーによる読取処理が終了したか否かを判断し（ステップＳ２１０）、すべての読取処理対象のハンガーによる読取処理が終了していないと判断した場合（ステップＳ２１０：Ｎｏ）、次の読取処理対象のハンガー４に電流を供給し（ステップＳ２１２）、次の読取処理対象のハンガー４による読取処理を行う。
【００６４】
これに対し、制御部３１がすべての読取処理対象のハンガーによる読取処理が終了したと判断した場合には（ステップＳ２１０：Ｙｅｓ）、記憶部３５に記憶される保管情報を参照する（ステップＳ２１４）。この保管情報は、たとえば、各ハンガー４ごとに、ハンガー４に装着された各リング２０に束ねられる鍵１０の非接触情報媒体１７の識別情報および結束バンド２１０の非接触情報媒体２１７の識別情報と、各鍵１０，１１ａおよび各カードキー１１ｂの施錠場所とが対応付けられたものである。
【００６５】
そして、処理部２３３は、読取処理を行ったすべてのハンガー４による鍵情報、バンド情報と、参照した保管情報とを比較し（ステップＳ２１６）、鍵情報およびバンド情報に含まれる識別情報と、保管情報に含まれる識別情報のうち、不一致となる識別情報を取得する（ステップＳ２１８）。そして、処理部２３３は、読取処理を行ったすべてのハンガー４による鍵情報およびバンド情報の中に保管情報には含まれない識別情報がある場合には、この識別情報に対応する鍵１０または結束バンド２１０が、新たに鍵保管庫２内に収容されたと判断する。また、処理部２３３は、保管情報の識別情報の中に、読取処理を行ったすべてのハンガー４による鍵情報およびバンド情報には含まれない識別情報がある場合には、この識別情報に対応する鍵１０または結束バンド２１０が鍵保管庫２内から取り出されたと判断する。処理部２３３は、この判断処理をもとに、現に鍵保管庫２内に保管されている鍵１０，１１ａおよび各カードキー１１ｂの新たな保管情報を取得する（ステップＳ２２０）。
【００６６】
続いて、出力部３４は、図１１に示すステップＳ２２と同様に、処理部２３３が取得した新たな保管情報を出力する出力処理を行う（ステップＳ２２２）。制御部３１は、記憶部３５が記憶する保管情報を、処理部２３３が取得した新たな保管情報に更新し（ステップＳ２２４）、鍵保管庫２における保管処理を終了するか否かを判断する（ステップＳ２２６）。制御部３１は、保管処理を終了すると判断した場合には（ステップＳ２２６：Ｙｅｓ）、鍵管理処理を終了する。また、制御部３１は、保管処理を終了しないと判断した場合には（ステップＳ２２６：Ｎｏ）、ステップＳ２０２に戻り、上述した一連の処理動作を行って鍵管理を継続する。
【００６７】
このように、実施の形態２においては、鍵１０の非接触情報媒体１７および結束バンド２１０の非接触情報媒体２１７とリング２０の鍵通信用コイル２４との間で正確に通信処理を行うことができることから、図２０に示す一連の処理動作を行うことによって、鍵保管庫２内に保管される各鍵１０，１１ａおよびカードキー１１ｂを正確に管理することができる。
【００６８】
（実施の形態３）
次に、実施の形態３について説明する。実施の形態３では、鍵の保持部材として結束バンドを用い、この結束バンドの切断による鍵の不正取り外しを検出できる鍵管理システムについて説明する。
【００６９】
図２１は、本実施の形態３にかかる鍵管理システムの構成を説明する図である。図２１に示すように、実施の形態３にかかる鍵管理システム３０１では、結束バンド３１０を用いて鍵１１ａまたはカードキー１１ｂを保持し、鍵保管庫２内に各鍵を保管する。この結束バンド３１０は、結束バンド２１０と同様に非接触情報媒体を有する。そして、図２１に示す鍵管理システム３０１では、図２に示すリーダ３０に代えて、結束バンド３１０の非接触情報媒体の識別情報を読み取るとともに、鍵１１ａ，カードキー１１ｂの結束バンド３１０からの不正取り外しを検出するリーダ３３０を備える。リーダ３３０は、リング２０の鍵通信用コイルを介して読み取った結束バンド３１０の非接触情報媒体の識別情報を処理するとともに処理部３３３を備える。なお、記憶部３５は、鍵保管庫２内に収容される各結束バンド３１０の非接触情報媒体の識別情報をもとに作成された各鍵１１ａ、カードキー１１ｂの保管情報を記憶する。さらに、記憶部３５は、リング２０ごとに、リング２０に束ねられる鍵１１ａまたはカードキー１１ｂに対応する識別情報の組み合わせも記憶する。この組み合わせは、各リング２０にそれぞれ束ねられる結束バンド３１０の非接触情報媒体による識別情報を読み取ることによって予め作成されたものである。
【００７０】
次に、図２１に示す結束バンド３１０について詳細に説明する。図２２は、図２１に示す結束バンド３１０の平面図であり、図２３は、図２１に示す結束バンドの正面図である。
【００７１】
図２２および図２３に示すように、結束バンド３１０は、ヘッド部３１２に非接触情報媒体３１７を有する。この非接触情報媒体３１７は、アンテナとして機能し導線によって形成されるバンド側コイル３１４と、ＩＣチップ１５と、バンド側コイル３１４と共振回路を形成する図示しないコンデンサとを有する。バンド側コイル３１４は、ヘッド部３１２のリング通し穴２１３の周囲に導線が巻回されることによって形成される。
【００７２】
そして、このバンド側コイル３１４を形成する導線は、バンド部３１１に一部が延伸されており、この延伸部３１４ｅを含むバンド側コイル３１４のインダクタンスと、このバンド側コイル３１４と共振回路を形成するコンデンサの容量とは、リーダ３３０による電磁波の周波数と共振回路の共振周波数とが一致するように設定されている。
【００７３】
すなわち、バンド側コイル３１４は、図２２および図２３に示すように延伸部３１４ｅを含んだ正常な形状を保持する場合には設定どおりのインダクタンスを示す。このため、図２４に示す結束バンド３１０ｂのように、バンド部３１１に破損のない場合には、結束バンド３１０ｂの非接触情報媒体３１７の共振周波数と、リーダ３３０による電磁波の周波数とは一致し、矢印Ｙ３５のように、鍵通信用コイル２４と非接触情報媒体３１７との間で正常に通信処理を行なうことができる。
【００７４】
これに対し、図２４の結束バンド３１０ａのように、バンド部３１１の一部Ｓ１が切断された場合には、このバンド部３１１に延伸していた３１４の延伸部３１４ｅを構成する導線も切断されてしまう。言い換えると、バンド側コイル３１４を形成する導線の一部が断線してしまうこととなる。この結果、結束バンド３１０ａの非接触情報媒体３１７は、矢印Ｙ３６のように鍵通信用コイル２４との間で通信処理を行なうことができなくなる。
【００７５】
通常、正当な理由で、結束バンド３１０のバンド部３１１を切断して鍵１１ａまたはカードキー１１ｂが取り外された場合には、鍵管理者によって鍵管理システム３０１にその旨が登録され、これに基づき鍵保管情報が更新される。これに対し、不正な理由で結束バンド３１０から鍵１１ａまたはカードキー１１ｂが取り外される場合には、鍵管理システム３０１への登録自体行なわれない。そこで、鍵管理システム３０１では、バンド部３１１が切断された場合にはリーダ３３０との間で通信不能となる結束バンド３１０を使用し、各結束バンド３１０から読み取ったバンド情報と、記憶部３５に記憶される保管情報とを比較することによって、鍵保管庫２内に新たに保管された結束バンド３１０からバンド部３１１切断によって不正に鍵が取り外されているか否かを検出している。
【００７６】
そこで、この鍵管理システム３０１における管理処理について詳細に説明する。図２５は、図２１に示す鍵管理システム３０１の管理処理の処理手順を示すフローチャートである。なお、図２５においては、新たにリング２０が鍵保管庫２内のハンガー４に装着されて鍵保管庫２内に収容された場合、または、鍵保管庫２から取り出したハンガー４からリング２０が取り外された場合における鍵管理システム３０１の管理処理について説明する。
【００７７】
図２５に示すように、鍵管理システム３０１では、図２０に示すステップＳ２０２と同様に、制御部３１は、鍵保管庫２内に保管される結束バンド３１０のバンド情報の読取タイミングか否かを判断し（ステップＳ３０２）、バンド情報の読取タイミングであると判断するまで、ステップＳ３０２の判断処理を繰り返す。この図２１におけるステップＳ３０２においては、制御部３１は、鍵保管庫２の引出し３からハンガー４が取り出された後、このハンガー４が引出し３内に戻された場合に、結束バンド３１０のバンド情報を読み取るタイミングであると判断する。
【００７８】
制御部３１は、バンド情報の読取タイミングであると判断した場合（ステップＳ２０２：Ｙｅｓ）、図２０に示すステップＳ２０４と同様に、読取処理対象のハンガー４に、ケーブル３８を介して電流を供給する（ステップＳ３０４）。この結果、実施の形態１と同様に、ハンガー４の各通信接続線３６に電流が供給され、各給電用コイル３９にも電流が流れる。ハンガー４の挿入口４ａ，４ｂにリング２０が装着されていた場合、この挿入口４ａの給電用コイル３９から、リング２０の結合用コイル２３を介して鍵通信用コイル２４に電流が流れる。そして、鍵通信用コイル２４とリング２０に束ねられた各結束バンド３１０の非接触情報媒体３１７との間で通信が行われることによって、リーダ３３０は、このハンガー４に装着された各リング２０の結束バンド３１０に備わる非接触情報媒体３１７の識別情報を読み取る読取処理を行う（ステップＳ３０６）。上述したように、バンド部３１１が切断されている結束バンド３１０があった場合には、この結束バンド３１０との間で通信が行えず、この結束バンド３１０の識別情報は読み取られない。
【００７９】
制御部３１は、読取処理によって読み取った、読取対象のハンガー４に装着された各リング２０の結束バンド３１０の識別情報を、バンド情報として受信し（ステップＳ３０８）、受信したバンド情報を処理部３３３に出力して、このハンガー４における読取処理を終了する。
【００８０】
続いて、制御部３１は、図２０のステップＳ２１０〜ステップＳ２１２と同様に、すべての読取処理対象のハンガーによる読取処理が終了したか否かを判断し（ステップＳ３１０）、すべての読取処理対象のハンガーによる読取処理が終了していないと判断した場合（ステップＳ３１０：Ｎｏ）、次の読取処理対象のハンガー４に電流を供給し（ステップＳ３１２）、次の読取処理対象のハンガー４による読取処理を行う。
【００８１】
これに対し、制御部３１がすべての読取処理対象のハンガーによる読取処理が終了したと判断した場合には（ステップＳ３１０：Ｙｅｓ）、記憶部３５に記憶される保管情報を参照する（ステップＳ３１４）。この場合、処理部３３３は、リング２０ごとに、リング２０に束ねられる鍵１１ａまたはカードキー１１ｂに対応させた識別情報の組み合わせも参照する。なお、保管情報は、たとえば、各ハンガー４ごとに、ハンガー４に装着された各リング２０に束ねられる結束バンド３１０の非接触情報媒体３１７の識別情報と、各鍵１１ａ、各カードキー１１ｂの施錠場所とが対応付けられたものである。
【００８２】
そして、処理部３３３は、読取処理を行ったすべてのハンガー４によるバンド情報と、参照した保管情報とを比較し（ステップＳ３１６）、バンド情報に含まれる識別情報と、保管情報に含まれる識別情報のうち、不一致となる識別情報があるか否かを判断する（ステップＳ３１８）。引出し３からハンガー４が取り出されて、このハンガー４から、リング２０ごと、鍵１１ａまたはカードキー１１ｂを保持する結束バンド３１０が取り出された場合、または、引出し３からハンガー４が取り出されて、このハンガー４に、鍵１１ａなどを保持する結束バンド３１０をリング２０ごと装着する場合であって、各結束バンド３１０との通信処理が正確に行われる場合には、鍵保管庫２内に保管される結束バンド３１０に変動が生じるためである。
【００８３】
処理部３３３が、バンド情報に含まれる識別情報と、保管情報に含まれる識別情報のうち不一致となる識別情報があると判断した場合とは（ステップＳ３１８：Ｙｅｓ）、鍵保管庫２内に保管される結束バンド３１０に変動があった場合である。そこで、次に、この結束バンド３１０の識別情報がリング２０単位で変動しているかを判断する。リング２０単位で変動している場合には、鍵の不正取り外しなくリング２０ごと鍵１１ａまたはカードキー１１ｂが鍵保管庫２から脱着した場合であると考えられる。これに対し、リング２０単位ではなく非接触情報媒体３１７単位で識別情報が変動している場合には、リング２０の鍵保管庫２への脱着はあるものの、このリング２０の一部の結束バンド３１０から不正に鍵１１ａ、カードキー１１ｂが取り外された場合であると考えられる。
【００８４】
このため、処理部３３３は、記憶部３５から読み出したリング２０と鍵の識別情報の組み合わせと、読取処理で読み取ったバンド情報とを比較し、一致しない識別情報の組み合わせがあるか否かを判断する（ステップＳ３１９）。
【００８５】
処理部３３３は、一致しない識別情報の組み合わせがないと判断した場合には（ステップＳ３１９：Ｎｏ）、読取処理前と読取処理後とでリング２０単位で識別情報が変動している場合であることから、リング２０単位で正常に鍵１１ａ、カードキー１１ｂが鍵保管庫２に収容または取り出されているものと考えられるため、鍵の不正取外しなしと判断する（ステップＳ３２０）。
【００８６】
そして、処理部３３３は、読取処理結果であるバンド情報の中に、保管情報に含まれない識別情報を含む新たなバンド情報があるか否かを判断する（ステップＳ３２２）。処理部３３３が保管情報に含まれない識別情報を含む新たなバンド情報があると判断した場合（ステップＳ３２２：Ｙｅｓ）、すなわち、読取処理を行ったすべてのハンガー４によるバンド情報の中に保管情報には含まれない識別情報がある場合、この識別情報に対応する結束バンド３１０が、新たに鍵保管庫２内に収容されたと判断できる。この場合、出力部３４は、この保管情報に含まれない識別情報に対応する結束バンド３１０の情報を、新たに鍵保管庫２内に保管された結束バンドの情報として出力する（ステップＳ３２４）。これに対し、処理部３３３が保管情報に含まれない識別情報を含む新たなバンド情報がないと判断した場合（ステップＳ３２２：Ｎｏ）、すなわち保管情報の識別情報の中に、読取処理を行ったすべてのハンガー４によるバンド情報には含まれない識別情報がある場合、この識別情報に対応する結束バンド３１０が鍵保管庫２内から取り出されたと判断できる。この場合、出力部３４は、このバンド情報には含まれない識別情報に対応する結束バンド３１０の情報を、鍵保管庫２から取り出された結束バンドの情報として出力する（ステップＳ３２６）。
【００８７】
一方、処理部３３３が、バンド情報に含まれる識別情報と、保管情報に含まれる識別情報のうち不一致となる識別情報がないと判断した場合とは（ステップＳ３１８：Ｎｏ）、鍵保管庫２内に保管される結束バンド３１０に変動がなかった場合である。これは、新たに、ハンガー４にリング２０ごと結束バンド３１０が装着されているにも関わらず、鍵保管庫２内の結束バンド３１０に変動がなかった場合であり、新たに鍵保管庫２内に保管された結束バンド３１０とリーダ３３０との間で通信処理が正確に行われていない場合である。したがって、この場合には、新たに鍵保管庫２内に保管された結束バンド３１０のバンド部３１１が切断されているおそれがある。このため、この場合には、処理部３３３は、各結束バンド３１０のバンド部３１１は切断されており、結束バンド３１０からの鍵１１ａ、カードキー１１ｂの不正取外しありと判断する（ステップＳ３３０）。
【００８８】
また、処理部３３３は、記憶部３５から読み出したリング２０と鍵の識別情報の組み合わせと、読取処理で読み取ったバンド情報とを比較し、一致しない識別情報の組み合わせがあると判断した場合には（ステップＳ３１９：Ｙｅｓ）、読取処理前と読取処理後とでリング２０単位で識別情報が変動しておらず、リング２０に束ねられた一部の結束バンド３１０から不正に鍵１１ａ、カードキー１１ｂが取り外されたおそれがあると考えられるため、結束バンド３１０からの鍵１１ａ、カードキー１１ｂの不正取外しありと判断する（ステップＳ３３０）。
【００８９】
続いて、出力部３４は、ステップＳ３３０における処理部３３３の判断結果を、新たに鍵保管庫２内に保管された結束バンド３１０から鍵１１ａまたはカードキー１１ｂが不正に取外されているおそれがあることを示す警告として出力する警告出力処理を行なう（ステップＳ３３２）。たとえばこの警告出力処理として、結束バンド３１０からの鍵１１ａまたはカードキー１１ｂの不正取り外しを示すアラーム音声をスピーカー３４ａから出力する。また、警告出力処理として、リーダ３３０と接続する管理装置５０のモニタ５４ａに、図２６の警告メニュー画面Ｍ３を表示することによって、結束バンド３１０からの鍵１１ａまたはカードキー１１ｂの不正取り外しに対する警告を表示出力してもよい。その後、制御部３１は、入力部３２から入力された指示情報をもとに、入力部３２からの指示があるか否かを判断する（ステップＳ３３４）。たとえば、不正取り外しの詳細をさらに表示出力させるよう指示される場合や、管理装置５０からネットワークを介して外部の管理システムに不正取り外し情報を出力させるよう指示される場合がある。制御部３１は、入力部３２からの指示があるまでステップＳ３３４の判断処理を繰り返し、入力部３２からの指示があるか否かを判断した場合（ステップＳ３３４：Ｙｅｓ）、指示された内容にもとづく処理を行なった後にステップＳ３３６に進む。
【００９０】
そして、ステップＳ３２４、ステップＳ３２６またはステップＳ３３２に示す各出力処理が終了した後、制御部３１は、記憶部３５が記憶する保管情報を、処理部３３３が取得した新たな保管情報に更新し（ステップＳ３２６）、図１１のステップＳ２６と同様に、制御部３１は、鍵保管庫２における保管処理を終了するか否かを判断する（ステップＳ３４０）。制御部３１は、保管処理を終了すると判断した場合には（ステップＳ３４０：Ｙｅｓ）、鍵管理処理を終了する。また、制御部３１は、保管処理を終了しないと判断した場合には（ステップＳ３４０：Ｎｏ）、ステップＳ３０２に戻り、上述した一連の処理動作を行って鍵管理を継続する。なお、図２５において説明した不正取り外し判断に関する各処理手順は、一例であって、保管常態および装置構成によって、種々の処理手順が考えられる。
【００９１】
このように、実施の形態３においては、実施の形態１と同様の効果を奏するとともに、図２２および図２３に示す結束バンド３１０を保持部材として用いることによって、この結束バンド３１０の切断による鍵１１ａ、カードキー１１ｂの不正取り外しまでも検出することが可能になる。
【００９２】
なお、実施の形態３に使用する結束バンドは、非接触情報媒体のコイルを形成する導線の一部がバンド部に延伸した構成であれば足りる。図２７〜図２９を参照して、実施の形態３に使用する結束バンドの他の例について説明する。図２７および図２９は、実施の形態３に使用する結束バンドを模式的に示した平面図であり、図２８は、図２７に示す結束バンドの正面図である。図２７〜図２９に示す結束バンド３１０１は、非接触情報媒体３１７ａを構成するコイルとして、複数のサブコイル３１４ａ，３１４ｂとを備える。このサブコイル３１４ａ，３１４ｂはともに、ヘッド部３１２ａのリング通し穴２１３に導線が巻回されることによって形成され、それぞれの巻線方向が重なっている。サブコイル３１４ａ，３１４ｂのうち、サブコイル３１４ａにＩＣチップ１５が接続されている。そして、サブコイル３１４ｂを形成する導線の一部は、バンド部３１１ａに延伸されている。サブコイル３１４ｂは、サブコイル３１４ａの直下に重なるように形成されている。また、サブコイル３１４ｂは、サブコイル３１４ａと同様に、リング通し穴２１３に導線が巻回されることによって形成されるため、サブコイル３１４ａとほぼ同じ径を有する。なお、図２７では、説明のため、サブコイル３１４ｂの径を、実際の径よりも大きくして図示している。
【００９３】
そして、ＩＣチップ１５が接続するサブコイル３１４ａのインダクタンスと、延伸部３１４１ｅを含むサブコイル３１４ｂのインダクタンスとの合計値は、これらのサブコイル３１４ａ，３１４ｂと共振回路を形成するコンデンサ３１６の容量に応じて、リーダ３３０による電磁波の周波数と共振回路の共振周波数とが一致するように設定されている。すなわち、結束バンド３１０１は、この２つのサブコイル３１４ａ，３１４ｂのいずれもが延伸部３１４１ｅを含んだ正常な形状を保持する場合には設定どおりのインダクタンスを示し、結束バンド３１０１の非接触情報媒体３１７ａは、リーダ３３０との通信可能となる。これに対し、バンド部３１１ａの一部が切断された場合には、このバンド部３１１ａに延伸していた延伸部３１４１ｅを構成する導線も切断されてしまい、サブコイル３１４ｂを形成する導線の一部が切断されてしまうこととなる。この結果、ＩＣチップ１５が接続するサブコイル３１４ａのインダクタンスと、延伸部３１４１ｅを含むサブコイル３１４ｂのインダクタンスとの合計値は、リーダ３３０との通信のために設定されたインダクタンスよりも低くなってしまい、非接触情報媒体３１７ａはリーダ３３０との間で通信処理を行なうことができなくなる。
【００９４】
したがって、実施の形態３においては、バンド部３１１ａの切断によって通信不能となる結束バンド３１０１を用いた場合も、結束バンド３１０を用いた場合と同様に、結束バンドの切断による鍵の不正取り外しを検出することができる。
【００９５】
また、実施の形態３において使用する結束バンドとして、非接触情報媒体を内蔵した結束バンド３１０，３１０１を例に説明したが、もちろんこれに限らず、図３０に示すように、延伸部３１４１ｅを含むバンド側コイル４１４およびＩＣチップ１５を有する非接触情報媒体４１７を内部に形成されるシート４１５を、バンド部材の裏面に貼付した結束バンド４１０であってもよい。この場合、シート４１５には、バンド部材のヘッド部４１２のリング通し穴２１３に対応するようにリング通し穴４１３が設けられており、このリング通し穴４１３の周囲に導線を巻回することによって、バンド側コイル４１４を形成する。そして、延伸部３１４ｅは、バンド部材のバンド部４１１の一部領域に対応する位置にまで延伸されている。
【００９６】
また、本実施の形態１〜３においては、ハンガー４に代えて、図３１に示すハンガー４１を用いて鍵管理処理を行なってもよい。図３１に示す鍵管理システム１ａにおいては、各リング２０ごとに電流供給を制御できるように、装着可能であるリング２０数と同数の通信接続線３６ａを有するハンガー４１を用いる。各通信接続線３６ａ〜３６ｎは、Ｃ２１部分でケーブル３８と接続する接続部３７ａからそれぞれ導線が延伸するとともに、図１０に示す通信接続線３６と同様に、リング２０の各挿入口４ａ，４ｂの一方の挿入口周囲に給電用コイル３９をそれぞれ形成する。この給電用コイル３９は、リング２０の結合用コイル２３とトランス結合する。リーダ３０ａにおいて、制御部３１ａは、通信接続線３６ａ〜３６ｎごとに電流を供給することができるため、各挿入口単位でリング２０に束ねられた鍵１０における非接触情報媒体１７の識別情報の読取処理を制御することができる。このため、処理部３３ａは、この読取処理の処理結果から、どのハンガー４１のいずれの挿入口に、どのような鍵１０がリング２０を介して装着されているかも保管情報として取得することができる。
【００９７】
また、図３〜図６に示す鍵カバー１２を装着した鍵１０の厚さは約３ｍｍであり、この鍵カバー１２にコイル径６ｍｍで１３巻の鍵側コイル１４を形成した場合には、１０枚程度であれば鍵１０を重ねた場合であっても、鍵側コイル１４間の相互干渉の影響は少なく、リーダ３０，２３０，３０ａと正確に通信処理を行なうことができる。しかしながら、１０枚以上を超える枚数で鍵を重ねて使用する場合には、鍵側コイル１４間の相互干渉の影響は無視できない。
【００９８】
そこで、鍵を１０枚以上重ねて管理する場合が常態である場合には、図３２に示す非接触情報媒体５１７を有する構造の鍵５１０または図３３に示す構造の非接触情報媒体６１７を有する構造の鍵６１０で鍵管理を行なえばよい。
【００９９】
図３２に示す非接触情報媒体５１７は、本出願人による特開２００５−０５６１１８号公報に記載の非接触情報媒体の構成と同じものであり、鍵側コイル５１４は、導線の少なくとも一部が切断された切断部５１９を備える構成を有し、非接触情報媒体５１７が複数近傍に配置された場合に、この鍵側コイル５１４とコンデンサ５１６とが形成する共振回路の共振周波数がリーダ３０，３０ａ，２３０から発せられる電磁波の周波数と一致する。すなわち、各非接触情報媒体５１７が重なり合うように複数の鍵５１０が重なり合った場合にリーダ３０，３０ａ，２３０との通信処理を行なう。
【０１００】
また、図３３に示す非接触情報媒体６１７は、本出願人による特開２００６−０６７４７９号公報に記載の非接触情報媒体の構成と同じものであり、鍵側コイル６１４の一部に、場所的に集中したインダクタンスを有するチップコイル６１９を備える構成を有する。このチップコイル６１９は、鍵側コイル６１４およびコンデンサ６１６が構成する共振回路のインダクタンスを主として形成している。このため、鍵側コイル６１４の導線の巻数を少なくできるため、鍵側コイル６１４同士が重なり合うように鍵６１０が複数重なり合った場合でも、非接触情報媒体６１７間でほとんど相互干渉が生じず、正しい通信処理を行なうことが可能になる。
【符号の説明】
【０１０１】
１，２０１，３０１，１ａ  鍵管理システム
２  鍵保管庫
３  引出し
４，４ａ  ハンガー
１０  鍵
１２  鍵カバー
１３  通し穴
１４，５１４，６１４  鍵側コイル
１５  ＩＣチップ
１６，２１６，３１６，５１６，６１６  コンデンサ
１７，２１７，３１７，３１７ａ，４１７，５１７，６１７  非接触情報媒体
２０  リング
２１  リング本体
２３  結合用コイル
２４  鍵通信用コイル
３０，３０ａ，２３０，３３０  リーダ
３１，３１ａ，５１  制御部
３２，５２  入力部
３３，３３ａ，２３３，３３３  処理部
３４，５４  出力部
３６  通信接続線
３５，５５  記憶部
３７  接続部
３８  ケーブル
３９  給電用コイル
５６  通信処理部
２１０  結束バンド
２１３  リング通し穴
２１４  バンド側コイル
【図１】
2011094390.tif 000003
【図２】
2011094390.tif 000004
【図３】
2011094390.tif 000005
【図４】
2011094390.tif 000006
【図５】
2011094390.tif 000007
【図６】
2011094390.tif 000008
【図７】
2011094390.tif 000009
【図８】
2011094390.tif 000010
【図９】
2011094390.tif 000011
【図１０】
2011094390.tif 000012
【図１１】
2011094390.tif 000013
【図１２】
2011094390.tif 000014
【図１３】
2011094390.tif 000015
【図１４】
2011094390.tif 000016
【図１５】
2011094390.tif 000017
【図１６】
2011094390.tif 000018
【図１７】
2011094390.tif 000019
【図１８】
2011094390.tif 000020
【図１９】
2011094390.tif 000021
【図２０】
2011094390.tif 000022
【図２１】
2011094390.tif 000023
【図２２】
2011094390.tif 000024
【図２３】
2011094390.tif 000025
【図２４】
2011094390.tif 000026
【図２５】
2011094390.tif 000027
【図２６】
2011094390.tif 000028
【図２７】
2011094390.tif 000029
【図２８】
2011094390.tif 000030
【図２９】
2011094390.tif 000031
【図３０】
2011094390.tif 000032
【図３１】
2011094390.tif 000033
【図３２】
2011094390.tif 000034
【図３３】
2011094390.tif 000035